(57)【要約】【課題】本発明は、工期を短縮することを目的とする。【解決手段】杭頭フーチングの施工方法は、杭１２の杭頭部１２Ｈの周囲に下部フーチング２２を施工し、下部フーチング２２に杭頭部１２Ｈを埋設する下部フーチング施工工程と、下部フーチング２２上に柱４０を立て、柱４０の柱脚部４０Ｌを下部フーチング２２に接合する柱施工工程と、下部フーチング２２上に上部フーチング２４を施工し、当該上部フーチング２４に、柱脚部４０Ｌ及び当該柱脚部４０Ｌに接合された基礎梁５０の梁端部５０Ｅを埋設する上部フーチング施工工程と、を備える。【選択図】図１
2019073881.tif 000002
【特許請求の範囲】
【請求項１】
杭の杭頭部の周囲に下部フーチングを施工し、該下部フーチングに前記杭頭部を埋設する下部フーチング施工工程と、
前記下部フーチング上に柱を立て、該柱の柱脚部を前記下部フーチングに接合する柱施工工程と、
前記下部フーチング上に上部フーチングを施工し、該上部フーチングに、前記柱脚部及び該柱脚部に接合された基礎梁の梁端部を埋設する上部フーチング施工工程と、
を備える杭頭フーチングの施工方法。
【請求項２】
前記柱施工工程において、前記下部フーチングの上面から上方へ突出するアンカー部材に前記柱脚部のベースプレートを接合する、
請求項１に記載の杭頭フーチングの施工方法。
【請求項３】
杭と、
柱脚部にベースプレートを有し、杭上に立てられる柱と、
前記柱の柱脚部に梁端部が接合される基礎梁と、
前記杭の杭頭部が埋設されるとともに、上面に前記ベースプレートが接合される下部フーチングと、前記下部フーチング上に設けられ、前記柱脚部及び前記梁端部が埋設される上部フーチングと、を有するフーチングと、
を備える杭頭フーチング構造。
【発明の詳細な説明】
【技術分野】
【０００１】
本発明は、杭頭フーチングの施工方法、及び杭頭フーチング構造に関する。
【背景技術】
【０００２】
杭と、柱及び基礎梁との接合構造が知られている（例えば、特許文献１参照）。特許文献１に開示された接合構造では、柱の柱脚部は、仮設支柱を介して杭の杭頭部上に設置される。この柱の柱脚部の各側面には、基礎梁の梁端部が接合されている。これらの基礎梁の梁端部には、杭の杭頭部を囲む鋼製型枠（鋼管）が接合されており、この鋼製型枠内に充填されたコンクリートによって、杭と、柱の柱脚部及び基礎梁の梁端部とが接合されている。
【先行技術文献】
【特許文献】
【０００３】
【特許文献１】特開平７−２６５６８号公報
【発明の概要】
【発明が解決しようとする課題】
【０００４】
しかしながら、特許文献１に開示された接合構造では、鋼製型枠内にコンクリートが打設されるまでは、柱の柱脚部が杭に接合されない。したがって、鋼管にコンクリートが打設されるまでは、柱に支持される上部構造体を施工することができず、工期が長期化する可能性がある。
【０００５】
本発明は、上記の事実を考慮し、工期を短縮することを目的とする。
【課題を解決するための手段】
【０００６】
請求項１に記載の杭頭フーチングの施工方法は、杭の杭頭部の周囲に下部フーチングを施工し、該下部フーチングに前記杭頭部を埋設する下部フーチング施工工程と、前記下部フーチング上に柱を立て、該柱の柱脚部を前記下部フーチングに接合する柱施工工程と、前記下部フーチング上に上部フーチングを施工し、該上部フーチングに、前記柱脚部及び該柱脚部に接合された基礎梁の梁端部を埋設する上部フーチング施工工程と、を備える。
【０００７】
請求項１に係る杭頭フーチングの施工方法によれば、先ず、下部フーチング施工工程において、杭の杭頭部の周囲に下部フーチングを施工し、当該下部フーチングに杭頭部を埋設する。これにより、杭頭部に下部フーチングが接合される。
【０００８】
次に、柱施工工程において、下部フーチング上に柱を立て、当該柱の柱脚部を下部フーチングに接合する。これにより、柱の柱脚部が、下部フーチングを介して杭頭部と接合される。
【０００９】
次に、上部フーチング施工工程において、下部フーチング上に上部フーチングを施工する。そして、下部フーチング上に立てられた柱の柱脚部及び当該柱脚部に接合された基礎梁の梁端部を上部フーチングに埋設する。これにより、柱の柱脚部及び基礎梁の梁端部が、上部フーチング及び下部フーチングを介して杭頭部と接合される。
【００１０】
このように本発明では、柱施工工程において、柱の柱脚部が、下部フーチングを介して杭頭部に接合される。これにより、上部フーチング施工工程の前に、又は上部フーチング施工工程と並行して、柱に支持される上部構造体を施工することができる。したがって、工期を短縮することができる。
【００１１】
請求項２に記載の杭頭フーチングの施工方法は、請求項１に記載の杭頭フーチングの施工方法において、前記柱施工工程において、前記下部フーチングの上面から上方へ突出するアンカー部材に前記柱脚部のベースプレートを接合する。
【００１２】
請求項２に係る杭頭フーチングの施工方法によれば、柱施工工程において、下部フーチングの上面から上方へ突出するアンカー部材に、柱脚部のベースプレートを接合する。このように柱の柱脚部にベースプレートを設けることにより、柱のレベル調整を容易に行うことができる。したがって、柱、及び柱に支持される上部構造体の施工精度を確保しつつ、工期を短縮することができる。
【００１３】
請求項３に記載の杭頭フーチング構造は、杭と、柱脚部にベースプレートを有し、杭上に立てられる柱と、前記柱の柱脚部に梁端部が接合される基礎梁と、前記杭の杭頭部が埋設されるとともに、上面に前記ベースプレートが接合される下部フーチングと、前記下部フーチング上に設けられ、前記柱脚部及び前記梁端部が埋設される上部フーチングと、を有するフーチングと、を備える。
【００１４】
請求項３に係る杭頭フーチング構造によれば、フーチングは、下部フーチングと、上部フーチングとを有する。下部フーチングには、杭の杭頭部が埋設される。また、下部フーチングの上面には、柱の柱脚部のベースプレートが接合される。つまり、柱の柱脚部は、ベースプレート及び下部フーチングを介して杭頭部と接合される。
【００１５】
これにより、上部フーチングを施工する前に、又は上部フーチングの施工と並行して、柱に支持される上部構造体を施工することができる。したがって、工期を短縮することができる。
【発明の効果】
【００１６】
以上説明したように、本発明に係る杭頭フーチングの施工方法、及び杭頭フーチング構造によれば、工期を短縮することができる。
【図面の簡単な説明】
【００１７】
【図１】一実施形態に係る杭頭フーチング構造を示す立面図である。
【図２】図１の２−２線断面図である。
【図３】図１の３−３線断面図である。
【図４】図１の４−４線断面図である。
【図５】図１に示される杭頭フーチング構造の施工過程を示す図１に対応する立面図である。
【図６】図１に示される杭頭フーチング構造の施工過程を示す図１に対応する立面図である。
【発明を実施するための形態】
【００１８】
以下、図面を参照しながら、一実施形態について説明する。
【００１９】
（杭頭フーチング構造）
先ず、本実施形態に係る杭頭フーチング構造について説明する。図１に示されるように、本実施形態に係る杭頭フーチング構造１０は、杭１２と、フーチング２０と、柱４０と、基礎梁５０とを備えている。
【００２０】
（杭）
杭１２は、例えば、コンクリート杭や鋼杭、合成杭とされており、地盤Ｇに設けられている。また、杭１２の杭頭部１２Ｈは、地盤Ｇから上方へ突出している。この杭１２の杭頭部１２Ｈは、フーチング２０に埋設されている。
【００２１】
（フーチング）
フーチング２０は、鉄筋コンクリート造とされており、例えば、平面視にて矩形状に形成されている。このフーチング２０は、地盤Ｇ上に設けられている。なお、本実施形態では、フーチング２０と地盤Ｇとの間には、捨てコンクリート１４が設けられている。
【００２２】
フーチング２０は、二段打ちにより形成されている。すなわち、フーチング２０は、コンクリートを二回に分けて打設することにより形成されている。このフーチング２０は、１回目に打設されるコンクリートによって形成される下部フーチング２２と、二回目に打設されるコンクリートによって形成される上部フーチング２４とを有している。
【００２３】
下部フーチング２２は、フーチング２０の下部を形成している。この下部フーチング２２には、杭１２の杭頭部１２Ｈが埋設されている。また、下部フーチング２２には、複数の杭頭補強筋３０が埋設されている。各杭頭補強筋３０は、Ｕ字形状に屈曲されている。これらの杭頭補強筋３０の両端部は、下部フーチング２２の上面２２Ｕから上方へ延出し、上部フーチング２４に埋設されている。
【００２４】
なお、杭頭補強筋３０は、必要に応じて設ければ良く、適宜省略可能である。
【００２５】
図１及び図２に示されるように、下部フーチング２２には、複数の曲げ補強筋３２が埋設されている。複数の曲げ補強筋３２は、例えば、杭１２の曲げ戻しモーメントに抵抗する。各曲げ補強筋３２は、例えば、Ｕ字形状に屈曲されたはかま筋とされている。これらの曲げ補強筋３２の両端部は、下部フーチング２２の上面２２Ｕから上方へ延出し、上部フーチング２４に埋設されている。この下部フーチング２２の上には、上部フーチング２４が設けられている。
【００２６】
図１に示されるように、上部フーチング２４は、下部フーチング２２と一体化されており、フーチング２０の上部を形成している。また、上部フーチング２４の各側面は、下部フーチング２２の各側面と面一又は略面一とされている。この上部フーチング２４には、前述した複数の杭頭補強筋３０及び曲げ補強筋３２の一部が埋設されている。
【００２７】
なお、下部フーチング２２及び上部フーチング２４の形状や大きさは、異なっていても良い。
【００２８】
図１、図３、及び図４に示されるように、上部フーチング２４は、複数の曲げ補強筋３４が埋設されている。複数の曲げ補強筋３４は、例えば、杭１２の曲げ戻しモーメントに抵抗する。各曲げ補強筋３４は、逆Ｕ字形状に屈曲されたはかま筋とされている。これらの曲げ補強筋３４の両端部は、上部フーチング２４の下面から延出し、下部フーチング２２に埋設されている。この上部フーチング２４には、柱４０の柱脚部４０Ｌ及び基礎梁５０の梁端部５０Ｅが埋設されている。なお、上部フーチング２４の上には、例えば、スラブ１６が設けられる。
【００２９】
（柱）
図１に示されるように、柱（鉄骨柱）４０は、例えば、角形鋼管によって形成されており、図示しない構造物の上部構造体を支持している。この柱４０の柱脚部４０Ｌは、下部フーチング２２の上面２２Ｕに固定されている。具体的には、柱４０の下端部には、ベースプレート４２が設けられている。
【００３０】
ベースプレート４２は、例えば、矩形状の鋼板等によって形成されている。このベースプレート４２は、下部フーチング２２に埋設された複数のアンカー部材４４及びナット４６によって、下部フーチング２２の上面２２Ｕに固定されている。この柱４０の柱脚部４０Ｌは、柱梁仕口部とされている。この柱４０の柱脚部４０Ｌには、基礎梁５０が接合されている。
【００３１】
（基礎梁）
基礎梁５０は、例えば、Ｈ形鋼によって形成されている。この基礎梁５０は、一対の上フランジ部５０Ａ及び下フランジ部５０Ｂと、一対の上フランジ部５０Ａ及び下フランジ部５０Ｂを接続するウェブ部５０Ｃとを有している。この基礎梁５０の梁端部５０Ｅは、溶接やボルト等によって柱４０の柱脚部４０Ｌに接合されている。
【００３２】
下フランジ部５０Ｂの下面と下部フーチング２２の上面２２Ｕとの間には、モルタル又はグラウド等の充填材５２が充填されている。これにより、基礎梁５０の梁端部５０Ｅは、充填材５２を介して下部フーチング２２の上面２２Ｕに支持されている。
【００３３】
なお、充填材５２は、省略可能である。また、基礎梁５０のウェブ部５０Ｃには、曲げ補強筋３４が挿入される図示しない複数の貫通孔が形成されている。
【００３４】
（杭頭フーチングの施工方法）
次に、本実施形態に係る杭頭フーチングの施工方法について説明する。
【００３５】
（下部フーチング施工工程）
先ず、下部フーチング施工工程について説明する。図５に示されるように、下部フーチング施工工程では、杭１２の杭頭部１２Ｈの周囲に、当該杭頭部１２Ｈを囲む図示しない型枠を仮設する。また、型枠内に、杭頭補強筋３０、曲げ補強筋３２、及び柱４０用のアンカー部材４４を配筋する。この状態で、型枠内にコンクリートを打設し、硬化させる。これにより、下部フーチング２２を形成するとともに、下部フーチング２２に杭１２の杭頭部１２Ｈを埋設する。
【００３６】
（柱施工工程）
次に、柱施工工程について説明する。図５に示されるように、柱施工工程では、下部フーチング２２上に柱４０を立てる。そして、柱４０の柱脚部４０Ｌを下部フーチング２２に接合する。
【００３７】
具体的には、下部フーチング２２の上面２２Ｕから突出するアンカー部材４４を、柱４０のベースプレート４２の図示しない取付孔に挿入し、この状態でアンカー部材４４の上端部にナット４６を締め込む。これにより、下部フーチング２２の上面２２Ｕに、柱４０の柱脚部４０Ｌを接合する。
【００３８】
なお、本実施形態では、ベースプレート４２と下部フーチング２２の上面２２Ｕとの間には、モルタル又はグラウド等の充填材４８（図６参照）を適宜充填する。また、アンカー部材４４は、例えば、下部フーチング２２の施工後に、下部フーチング２２に設けられる後施工アンカー等であっても良い。
【００３９】
（基礎梁接合工程）
次に、基礎梁接合工程について説明する。図６に示されるように、基礎梁接合工程では、柱４０の柱脚部４０Ｌに、基礎梁５０の梁端部５０Ｅを溶接やボルト等によって接合する。また、梁端部５０Ｅの下フランジ部５０Ｂと下部フーチング２２の上面２２Ｕとの間に、充填材５２を充填する。これにより、基礎梁５０の梁端部５０Ｅが、充填材５２を介して下部フーチング２２に支持される。
【００４０】
（上部フーチング施工工程）
次に、上部フーチング施工工程について説明する。図６に示されるように、柱４０の周囲に、当該柱４０を囲む図示しない型枠を仮設する。そして、型枠内に、曲げ補強筋３４を配筋する。この状態で、型枠内にコンクリートを打設し、硬化させる。これにより、上部フーチング２４を形成するとともに、上部フーチング２４に柱４０の柱脚部４０Ｌ及び基礎梁５０の梁端部５０Ｅを埋設する。
【００４１】
（作用）
次に、本実施形態の作用について説明する。
【００４２】
本実施形態に係る杭頭フーチングの施工方法によれば、柱施工工程において、柱４０の柱脚部４０Ｌが、下部フーチング２２を介して杭１２の杭頭部１２Ｈに接合される。これにより、上部フーチング施工工程の前に、又は上部フーチング施工工程と並行して、柱４０に支持される構造物の上部構造体（図示省略）を施工することができる。したがって、工期を短縮することができる。
【００４３】
また、柱施工工程において、下部フーチング２２の上面２２Ｕから上方へ突出するアンカー部材４４に、柱４０の柱脚部４０Ｌのベースプレート４２を接合する。このように柱４０の柱脚部４０Ｌにベースプレート４２を設けることにより、柱４０のレベル調整を容易に行うことができる。したがって、柱４０、及び柱４０に支持される上部構造体の施工精度を確保しつつ、工期を短縮することができる。
【００４４】
さらに、上部フーチング２４に基礎梁５０の梁端部５０Ｅを埋設することにより、柱４０と杭１２との応力伝達だけでなく、基礎梁５０と杭１２との応力伝達も良好にすることができる。
【００４５】
また、フーチング２０は、複数の曲げ補強筋３２，３４によって補強（曲げ補強）されている。これらの曲げ補強筋３２，３４は、杭１２の曲げ戻しモーメントに抵抗する。これにより、フーチング２０の破損等が抑制されるとともに、杭１２の曲げ戻しモーメントがフーチング２０を介して基礎梁５０に効率的に伝達される。したがって、耐震性能が向上する。
【００４６】
（変形例）
次に、上記実施形態の変形例について説明する。
【００４７】
上記実施形態では、柱４０の柱脚部４０Ｌがベースプレート４２及びアンカー部材４４等によって下部フーチング２２の上面２２Ｕに接合されるが、上記実施形態はこれに限らない。柱４０の柱脚部４０Ｌと下部フーチング２２との接合構造は、適宜変更可能である。
【００４８】
また、上記実施形態では、下部フーチング２２上に柱４０を立てた後に、柱４０の柱脚部４０Ｌに基礎梁５０の梁端部５０Ｅを接合したが、上記実施形態はこれに限らない。例えば、下部フーチング２２上に柱４０を立てる前に、当該柱４０の柱脚部４０Ｌに基礎梁５０の梁端部５０Ｅを接合しても良い。
【００４９】
また、柱４０の柱脚部４０Ｌに接合する基礎梁５０の本数は、適宜変更可能であり、柱４０の柱脚部４０Ｌには、少なくとも一本の基礎梁５０を接合することができる。
【００５０】
また、上記実施形態では、下部フーチング２２が現場打ちコンクリートによって施工されるが、上記実施形態はこれに限らない。下部フーチングは、例えば、プレキャストコンクリートによって形成されても良い。
【００５１】
また、上記実施形態では、フーチング２０に曲げ補強筋３２，３４が埋設されるが、上記実施形態はこれに限らない。曲げ補強筋３２，３４は、必要に応じて設ければ良く、適宜省略可能である。
【００５２】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５３】
１０    杭頭フーチング構造
１２    杭
１２Ｈ  杭頭部
２０    フーチング
２２    下部フーチング
２２Ｕ  上面
２４    上部フーチング
４０    柱
４０Ｌ  柱脚部
４２    ベースプレート
４４    アンカー部材
５０    基礎梁
５０Ｅ  梁端部
【図１】
2019073881.tif 000003
【図２】
2019073881.tif 000004
【図３】
2019073881.tif 000005
【図４】
2019073881.tif 000006
【図５】
2019073881.tif 000007
【図６】
2019073881.tif 000008